(57)【要約】【課題】液室内の空気が、ノズル部内に流入したとしても、異音が生ずるのを抑制することができる定量吐出器を提供する。【解決手段】定量吐出器１において、吐出弁９は、ノズル部８の内側に取付けられる弁基部９１と、隔壁部８２ｂにおけるノズル軸方向の吐出口８ａ側を向く前壁面に配設された弁本体９２と、ノズル軸回りに間隔をあけて複数配置され、弁基部９１と弁本体９２とを連結する弾性連結片９３と、を備え、弁本体９２の外周面は、ノズル軸方向のシリンダ部３側に向かうに従い漸次、縮径するとともに、前壁面における連通口８２ｃの開口周縁部と当接している。【選択図】図１
2018002230.tif 000002
【特許請求の範囲】
【請求項１】
シリンダ部と、
前記シリンダ部の内周面に沿ってシリンダ軸方向に摺動可能なピストン部と、
前記ピストン部を操作するピストン操作部と、
前記シリンダ部内の液室に連通された筒状の吸込み部と、
前記吸込み部の内側に配設され、前記ピストン部の引戻し動作に連動して開けられる開閉可能な吸込み弁と、
内容物を吐出する吐出口を有し、前記シリンダ部の側方に向かって突出しているとともに、前記シリンダ部に直結されて前記液室に連通された筒状のノズル部と、を備え、
前記ノズル部の内側には、前記液室と前記吐出口とを連通する連通口が形成された隔壁部と、前記連通口を前記ピストン部の押込み動作に連動して開閉する吐出弁と、が配設され、
前記吐出弁は、
前記ノズル部の内側に取付けられる弁基部と、
前記隔壁部におけるノズル軸方向の前記吐出口側を向く前壁面に配設された弁本体と、
前記ノズル軸回りに間隔をあけて複数配置され、前記弁基部と前記弁本体とを連結する弾性連結片と、を備え、
前記弁本体の外周面は、ノズル軸方向の前記シリンダ部側に向かうに従い漸次、縮径するとともに、前記前壁面における前記連通口の開口周縁部と当接していることを特徴とする定量吐出器。
【請求項２】
前記ノズル部は、前記シリンダ部側に位置する根元筒部と、前記吐出口側に位置し、前記根元筒部内に嵌合されたノズル筒部と、を備え、
前記隔壁部は、前記根元筒部の内側に配設され、
前記弁基部は、前記根元筒部内に嵌合されるとともに、前記ノズル筒部及び前記隔壁部によりノズル軸方向に挟まれていることを特徴とする請求項１に記載の定量吐出器。
【請求項３】
前記弁本体における前記吐出口側を向く前面に、肉抜き凹部が形成されていることを特徴とする請求項１又は２に記載の定量吐出器。
【発明の詳細な説明】
【技術分野】
【０００１】
本発明は、定量吐出器に関するものである。
【背景技術】
【０００２】
従来、定量吐出器として、下記特許文献１に示されるように、シリンダ部と、シリンダ部の内周面に沿ってシリンダ軸方向に摺動可能なピストン部と、ピストン部を操作するピストン操作部と、シリンダ部内の液室に連通された筒状の吸込み部と、吸込み部の内側に配設され、ピストン部の引戻し動作に連動して開けられる開閉可能な吸込み弁と、内容物を吐出する吐出口を有し、シリンダ部の側方に向かって突出しているとともに、シリンダ部に直結されて液室に連通された筒状のノズル部と、ノズル部の内側に配設され、ピストン部の押込み動作に連動して開けられる開閉可能な吐出弁と、を備えるものが知られている。
この定量吐出器の吐出弁における弁部は、ノズル部の内側においてノズル軸方向の外側に向けて漸次拡径されたテーパー状をなし、その前端部は、ノズル部の内周面に全周にわたって密に当接している。
【先行技術文献】
【特許文献】
【０００３】
【特許文献１】特開２０１５−１２７２４２号公報
【発明の概要】
【発明が解決しようとする課題】
【０００４】
しかしながら、前記従来の定量吐出器では、例えば液室内に内容物が貯留されていない使用開始時、及び液室内の内容物の残量が少なくなった時等に、ピストン操作部を操作すると、液室内の空気がノズル部内に流入する。そして、この空気が、弁部の前端部を部分的に弾性変形させ、吐出弁を吐出口側に向けて通過するときに、異音が生ずるおそれがあった。
【０００５】
本発明は、前述した事情に鑑みてなされたものであって、液室内の空気が、ノズル部内に流入したとしても、異音が生ずるのを抑制することができる定量吐出器を提供することを目的とする。
【課題を解決するための手段】
【０００６】
前記課題を解決するために、本発明に係る定量吐出器は、シリンダ部と、前記シリンダ部の内周面に沿ってシリンダ軸方向に摺動可能なピストン部と、前記ピストン部を操作するピストン操作部と、前記シリンダ部内の液室に連通された筒状の吸込み部と、前記吸込み部の内側に配設され、前記ピストン部の引戻し動作に連動して開けられる開閉可能な吸込み弁と、内容物を吐出する吐出口を有し、前記シリンダ部の側方に向かって突出しているとともに、前記シリンダ部に直結されて前記液室に連通された筒状のノズル部と、を備え、前記ノズル部の内側には、前記液室と前記吐出口とを連通する連通口が形成された隔壁部と、前記連通口を前記ピストン部の押込み動作に連動して開閉する吐出弁と、が配設され、前記吐出弁は、前記ノズル部の内側に取付けられる弁基部と、前記隔壁部におけるノズル軸方向の前記吐出口側を向く前壁面に配設された弁本体と、前記ノズル軸回りに間隔をあけて複数配置され、前記弁基部と前記弁本体とを連結する弾性連結片と、を備え、前記弁本体の外周面は、ノズル軸方向の前記シリンダ部側に向かうに従い漸次、縮径するとともに、前記前壁面における前記連通口の開口周縁部と当接していることを特徴とする。
【０００７】
この発明によれば、弁本体の外周面が、ノズル軸方向におけるシリンダ部側に向かうに従い漸次、縮径し、かつ隔壁部の前壁面における連通口の開口周縁部に当接しているので、ピストン部の押込み動作に伴い、液室内の内容物がノズル部内に流入すると、弾性連結片が弾性変形することで、弁本体の全体がノズル軸方向の吐出口側に向けて弾性変位することとなる。したがって、例えば液室内に内容物が貯留されていない使用開始時、及び液室内の内容物の残量が少なくなった時等に、液室内の空気がノズル部内に流入すると、弁本体の全体が前記吐出口側に向けて変位することとなり、弁本体の外周面における一部分のみで、連通口が開放されることが抑えられる。これにより、ノズル部内の空気が吐出弁を吐出口側に通過する時に異音が生ずるのを抑制することができる。
また、弁本体が、ノズル周方向に間隔をあけて複数配置された弾性連結片により、弁基部と連結されているので、弁本体が隔壁部から離反された際の弁本体の姿勢を安定させ、吐出弁の動作を安定したものとすることができる。
【０００８】
また、前記ノズル部は、前記シリンダ部側に位置する根元筒部と、前記吐出口側に位置し、前記根元筒部内に嵌合されたノズル筒部と、を備え、前記隔壁部は、前記根元筒部の内側に配設され、前記弁基部は、前記根元筒部内に嵌合されるとともに、前記ノズル筒部及び前記隔壁部によりノズル軸方向に挟まれていてもよい。
この場合には、弁基部が、ノズル部の根元筒部内に嵌合されるとともに、根元筒部内に嵌合されたノズル筒部と、根元筒部の内側に配設された隔壁部と、によりノズル軸方向に挟まれているので、吐出弁がノズル部内をノズル軸方向に位置ずれするのを抑制することができる。
【０００９】
また、前記弁本体における前記吐出口側を向く前面に、肉抜き凹部が形成されてもよい。
この場合には、弁本体の前面に、肉抜き凹部が形成されているので、弁本体を軽量化することができる。このため、弁本体が隔壁部の連通口に対して位置ずれするのを抑えることが可能になり、吐出弁により連通口を確実に閉塞することができる。さらに、弁本体の前面に、肉抜き凹部が形成されていることから、弁本体の肉厚が厚くなるのを抑えることが可能になり、ひけの発生を抑制することができる。
【発明の効果】
【００１０】
本発明によれば、液室内の空気が、ノズル部内に流入したとしても、異音が生ずるのを抑制することができる。
【図面の簡単な説明】
【００１１】
【図１】本発明の第一実施形態に係る定量吐出器を示す縦断面図である。
【図２】図１に示す定量吐出器の要部を示す拡大図である。
【発明を実施するための形態】
【００１２】
以下、図面を参照して、本発明に係る定量吐出器の一実施形態について説明する。
【００１３】
＜定量吐出器の構成＞
図１に示すように、定量吐出器１は、容器本体１０の口部１１に装着された装着キャップ２と、装着キャップ２に連結されたシリンダ部３と、シリンダ部３内に摺動可能に配設されたピストン部４と、ピストン部４を操作するピストン操作部５と、シリンダ部３内の液室３２に連通された管状の吸込み部６と、吸込み部６の内側に配設されるとともにピストン部４の動作に伴って開閉可能とされた吸込み弁７と、内容物を吐出する吐出口８ａを有し、シリンダ部３の側方に向かって突出するとともにシリンダ部３に直結されてシリンダ部３内の液室３２に連通された筒状のノズル部８と、を備えている。
【００１４】
以下、シリンダ部３の横断面がなす円形状の中央を通るシリンダ軸Ｏに沿って、ピストン操作部５側を上側、容器本体１０側を下側という。また、シリンダ軸Ｏ方向から見た平面視において、シリンダ軸Ｏ回りに周回する方向を周方向といい、シリンダ軸Ｏに直交する方向を径方向という。
【００１５】
（容器本体）
容器本体１０は、例えばガラス瓶、合成樹脂製ボトル等であり、内部に図示しない内容物が収容される。容器本体１０の口部１１の外周面には、雄ねじ１２が形成されている。
【００１６】
（装着キャップ）
装着キャップ２は、円筒形状に形成され、シリンダ軸Ｏと同軸に配設されている。装着キャップ２の内周面には、口部１１の雄ねじ１２に螺合された雌ねじ２０が形成されている。
【００１７】
（シリンダ部）
シリンダ部３は、有底筒状に形成され、その内側に容器本体１０内の内容物を貯留する液室３２が形成されるとともに、容器本体１０の上方に配置されている。
シリンダ部３には、装着キャップ２に接続され、口部１１に装着された装着筒部３０が設けられている。装着筒部３０は、シリンダ部３の底壁部３１から下方に向けて延在し、シリンダ軸Ｏと同軸に配置されている。装着筒部３０の下端部は、装着キャップ２の上端部内にアンダーカット嵌合されている。装着筒部３０には、口部１１の上端開口縁上に配置された支持フランジ部３０ａが形成されている。
【００１８】
シリンダ部３の外周面には、被係止部３４が径方向の外側に向けて突設されている。なお、被係止部３４は、シリンダ部３の外周面において、シリンダ軸Ｏを径方向に挟んで互いに反対となる位置に各別に形成されている。但し、被係止部３４の数は２つに限定されるものではない。
【００１９】
（ピストン部）
ピストン部４は、シリンダ部３内に配設されて液室３２を画成している。
ピストン部４は、図１に示すように、シリンダ軸Ｏに直交する底壁部４０と、底壁部４０の外縁から上方に向けて延びる周壁部４１と、周壁部４１を径方向の外側から囲繞し、且つシリンダ部３内に摺動自在に嵌合された筒状の摺接部４３と、を備えている。
【００２０】
底壁部４０は、液室３２に面する平面視円形の壁部であり、シリンダ部３の底壁部３１の上方に間隔をあけて対向配置されている。底壁部４０の外周部の上面には後述する連結部材５３のフランジ部５３ｂが当接されており、フランジ部５３ｂによって底壁部４０が上方から押さえられている。
【００２１】
周壁部４１は、円筒形状の筒部であり、シリンダ軸Ｏを共通軸にしてシリンダ部３と同軸上に配設されている。摺接部４３は、シリンダ軸Ｏを共通軸にしてシリンダ部３と同軸上に配設された略円筒形状の筒部であり、摺接部４３の上下方向の中間部は、上記した周壁部４１の上端部に連結されている。摺接部４３の上端部は、上側に向かうに従い漸次拡径されたテーパー形状に形成されている。
また、摺接部４３の下端部は、下側に向かうに従い漸次拡径されたテーパー形状に形成されている。そして、これら摺接部４３の上下端部は、それぞれシリンダ部３の内周面に全周に亘って密に摺動自在に当接している。
【００２２】
（ピストン操作部）
ピストン操作部５は、シリンダ部３の上端部に被着された中蓋５０と、シリンダ部３に対して相対的に押し下げ可能な押下ヘッド５１と、押下ヘッド５１を上方に付勢するコイルスプリング５２と、押下ヘッド５１とピストン部４とを連結する連結部材５３と、を備えている。
【００２３】
中蓋５０は、シリンダ軸Ｏに対して垂直に配設された円環状の天壁部５０ａと、天壁部５０ａの外縁から下方に向かって延びる外筒部５０ｂと、天壁部５０ａの内縁から下方に向かって延びる内筒部５０ｃと、内筒部５０ｃの下端部から径方向の内側に向けて延びる円環状の底壁部５０ｄと、底壁部５０ｄの内縁から立設されたガイド筒部５０ｅと、を備えている。
天壁部５０ａは、シリンダ部３の上方に配置され、シリンダ部３の上端開口縁上に載置されている。
【００２４】
外筒部５０ｂは、シリンダ部３の上端部の外周に周設された円筒形状の筒部であり、シリンダ軸Ｏを共通軸にしてシリンダ部３と同軸上に配置されているとともにシリンダ部３の上端部にアンダーカット嵌合されている。内筒部５０ｃは、シリンダ部３の上端部の内側に配設された略円筒形状の筒部であり、シリンダ軸Ｏを共通軸にしてシリンダ部３及び外筒部５０ｂと同軸上に配置されている。
【００２５】
底壁部５０ｄは、シリンダ軸Ｏに対して垂直に配設された円環状の板部である。また、底壁部５０ｄの下面には、連結部材５３の後述するフランジ部５３ｂに上方から当接するストッパ５０ｆが設けられている。ガイド筒部５０ｅは、内筒部５０ｃの内側に配設された円筒形状の直筒部であり、シリンダ軸Ｏを共通軸にして内筒部５０ｃと同軸上に配置されている。
【００２６】
押下ヘッド５１は、シリンダ軸Ｏに対して垂直に配設された円環状の天壁部５１ａと、天壁部５１ａの外縁から下方に向かって延びる周壁部５１ｂと、天壁部５１ａの内縁から下方に向かって延びる内筒部５１ｃと、天壁部５１ａの下面から下方に向かって延びる筒状のスプリング保持部５１ｄと、を備えている。天壁部５１ａは、中蓋５０の天壁部５０ａの上方に配設されている。
周壁部５１ｂは、中蓋５０の外筒部５０ｂ及びシリンダ部３の外周に周設された円筒形状の直筒部であり、シリンダ軸Ｏを共通軸にして中蓋５０の外筒部５０ｂ及びシリンダ部３と同軸上に配置されている。
【００２７】
内筒部５１ｃは、周壁部５１ｂの内側に配設された円筒形状の直筒部であり、シリンダ軸Ｏを共通軸にして周壁部５１ｂと同軸上に配置されている。
また、内筒部５１ｃの外径は、中蓋５０のガイド筒部５０ｅよりも小径であり、内筒部５１ｃは、ガイド筒部５０ｅの内側に挿入されている。スプリング保持部５１ｄは、コイルスプリング５２の上端部を保持する円筒形状の筒部であり、周壁部５１ｂの上端部と内筒部５１ｃの上端部との間に配設されている。
【００２８】
コイルスプリング５２は、押し込まれたピストン部４を引き戻す付勢力を付与するための付勢部材であり、上記した中蓋５０と押下ヘッド５１との間に介装されている。
コイルスプリング５２は、押下ヘッド５１の周壁部５１ｂの内側に配設されており、コイルスプリング５２の下端は、上記した中蓋５０の底壁部５０ｄの上面に係止され、コイルスプリング５２の上端は、上記した押下ヘッド５１のスプリング保持部５１ｄの内側に嵌め込まれて押下ヘッド５１の天壁部５１ａの下面に係止されている。
【００２９】
連結部材５３は、押下ヘッド５１の内筒部５１ｃの内側に嵌合された嵌合部５３ａと、嵌合部５３ａの下端から径方向外側に突出したフランジ部５３ｂと、を備えている。嵌合部５３ａは、有頂筒状の筒部であり、シリンダ軸Ｏを共通軸にして押下ヘッド５１の内筒部５１ｃと同軸上に延設されている。
嵌合部５３ａの上端部は、押下ヘッド５１の内筒部５１ｃにアンダーカット嵌合されており、嵌合部５３ａの上端面は、押下ヘッド５１の天壁部５１ａの上面と面一に形成されている。
【００３０】
フランジ部５３ｂは、周方向の全周に亘って形成された円環状の板部であり、ピストン部４の底壁部４０の上面に載置されているとともにピストン部４の周壁部４１の内側にアンダーカット嵌合されている。
また、フランジ部５３ｂは、中蓋５０の底壁部５０ｄの下面に設けられたストッパ５０ｆと当接可能とされており、これにより、コイルスプリング５２による押下ヘッド５１（ピストン部４）の上昇が制限されて押下ヘッド５１（ピストン部４）のストロークの上端位置が位置決めされている。
【００３１】
（吸込み部）
吸込み部６は、容器本体１０の内部に収容された内容物をシリンダ部３内の液室３２に吸い込むための管状部であり、その概略構成としては、シリンダ部３の底壁部３１の下面から下方に向かって延びているとともにシリンダ部３の内側に連通した接続筒部６０と、接続筒部６０に接続されたディップチューブ６１と、を備えている。
【００３２】
接続筒部６０は、上記した装着筒部３０の内側に配設されているとともにシリンダ軸Ｏを共通軸にして同軸上に配設された筒部である。接続筒部６０のうち、上端部は他の部分よりも拡径されている。すなわち、接続筒部６０は、シリンダ部３の内部に向けて開口された大径の上筒部６２と、上筒部６２の下方に段差を介して連設された小径の下筒部６３と、を備えている。
下筒部６３の上端部の内周面には、全周に亘って径方向内側に突出した円環状の弁座部６４が形成されている。また、接続筒部６０は、上記したシリンダ部３と一体に形成されている。
【００３３】
ディップチューブ６１は、容器本体１０の内側に配置されて容器本体１０内の内容物を吸い上げるためのチューブであり、例えば可撓性を有するフレキシブルチューブからなる。なお、ディップチューブ６１は、単なる円筒状のパイプであってもよい。ディップチューブ６１の下端開口は、容器本体１０内に開放されており、ディップチューブ６１の上端開口は、上記した接続筒部６０の内側に嵌合されて上記した上筒部６２を介してシリンダ部３の内部に連通されている。
【００３４】
（吸込み弁）
吸込み弁７は、吸込み部６の上筒部６２内に嵌合された周壁部７０と、周壁部７０の内側に配設されて弁座部６４の内側を開閉する板状の弁体部７１と、弁体部７１の外周面と周壁部７０の内周面とを連結する弾性変形可能な連結片７２と、を備えている。
【００３５】
周壁部７０は、吸込み部６の上筒部６２内にアンダーカット嵌合されている。弁体部７１は、弁座部６４の上面に密に当接している。連結片７２は、例えば周方向に間欠的に複数配設され、弁体部７１の外周面と周壁部７０の内周面とを繋いでいる。
なお、吸込み弁７は、１つの連結片７２で弁体部７１を支持した一点弁でもよい。さらに、本実施形態では、弁座部６４に着座する弁体部７１を利用することで吸込み部６の内側を開閉する吸込み弁７を例に挙げたが、この場合に限定されるものではなく、例えばボール弁を吸込み弁として採用しても構わない。
【００３６】
（ノズル部）
ノズル部８は、シリンダ部３内の液室３２に貯留された内容物を外部に吐出させるための筒状部材である。なお、図１及び図２にＬで示す鎖線は、ノズル部８の中心軸線を示しており、以下、ノズル軸Ｌという。また、ノズル軸Ｌに沿った方向をノズル軸方向といい、ノズル軸方向から見てノズル軸Ｌに直交する方向をノズル径方向といい、ノズル軸Ｌ回りの方向をノズル周方向という。さらに、ノズル軸方向のうち、吐出口８ａ側を前側といい、シリンダ部３側を後側という。
【００３７】
ノズル部８は、後側に位置する根元筒部８２と、前側に位置し、根元筒部８２内に嵌合されたノズル筒部８１と、を備えている。
根元筒部８２は、円筒形状をなし、前側に向かって下向きに傾斜している。根元筒部８２は、シリンダ部３の底壁部３１の下面において、装着筒部３０の外周面から、シリンダ軸Ｏに交差する方向に向かって突出している。
【００３８】
根元筒部８２は、シリンダ部３と一体に形成されている。根元筒部８２の後端部は、端壁部８２ａによって閉塞されている。根元筒部８２の後端部の上部は、シリンダ部３の内部に向けて開口されている。
また、根元筒部８２の内側には、ノズル軸Ｌに対して直交する隔壁部８２ｂが配設されている。
【００３９】
隔壁部８２ｂには、ノズル軸方向に貫通し、液室３２と吐出口８ａとを連通する連通口８２ｃが形成されている。連通口８２ｃは、ノズル軸Ｌと同軸に配置されている。連通口８２ｃは、ノズル軸方向から見て円形状をなし、ノズル軸方向に真直ぐ延びている。
根元筒部８２の後端部の外周面には、ノズル筒部８１の後述する外装筒部８１ａの後端開口縁とノズル軸方向で対向する対向部８２ｄが突設されている。対向部８２ｄは、ノズル周方向に連続して延び、環状に形成されている。
また、根元筒部８２の外周面のうち、対向部８２ｄよりも前側に位置する部分には、ノズル筒部８１の外装筒部８１ａがアンダーカット嵌合された嵌合突起８２ｅが設けられている。
【００４０】
嵌合突起８２ｅは、ノズル周方向に連続して延び、環状に形成されている。また、根元筒部８２の外周面のうち、嵌合突起８２ｅよりも前側に位置する部分には、ノズル筒部８１の外装筒部８１ａの内周面に形成された後述する溝部８１ｃに挿入されることで、ノズル筒部８１の根元筒部８２に対する回転を防止する周止めリブ８２ｆが複数設けられている。
周止めリブ８２ｆは、それぞれがノズル軸方向に沿って直線状に形成され、ノズル周方向に間隔をあけて複数形成されている。
【００４１】
ノズル筒部８１は、内容物を吐出するための筒部材であり、内容物を吐出する吐出口８ａを有している。ノズル筒部８１は、根元筒部８２をノズル径方向に囲繞する外装筒部８１ａと、根元筒部８２の径方向の内側に配設された本体筒部８１ｂと、本体筒部８１ｂの前端部からノズル軸Ｌに沿って延びる延出筒部８１ｄと、延出筒部８１ｄの前端部から下方に向けて延び、下端開口が吐出口８ａとされた屈曲筒部８１ｅと、を備えている。
本体筒部８１ｂ、延出筒部８１ｄ、及び屈曲筒部８１ｅの各内径は、互いに同等となっている。
【００４２】
ノズル筒部８１は、根元筒部８２に装着されている。ノズル筒部８１のうち、本体筒部８１ｂが根元筒部８２内に嵌合されるとともに、外装筒部８１ａが根元筒部８２に外嵌されている。そして、外装筒部８１ａの後端部が、根元筒部８２の嵌合突起８２ｅにアンダーカット嵌合されている。
【００４３】
また、外装筒部８１ａの内周面には、根元筒部８２の周止めリブ８２ｆが挿入された溝部８１ｃがノズル周方向に等間隔をあけて複数形成されている。溝部８１ｃは、ノズル軸方向に真直ぐ延びている。
屈曲筒部８１ｅは、延出筒部８１ｄの前端部から下方に向かうに従い漸次、前方に向けて延びている。屈曲筒部８１ｅ及び延出筒部８１ｄの各外径は、互いに同等となっている。
【００４４】
（吐出弁）
また、本実施形態では、ノズル部８の内側には、隔壁部８２ｂの連通口８２ｃをピストン部４の押込み動作に連動して開閉する吐出弁９が配設されている。吐出弁９は、ノズル部８の内側から、シリンダ部３内の液室３２への内容物及び空気の流入を止める逆止弁である。
そして本実施形態では、図２に示すように、吐出弁９は、ノズル部８の内側に取付けられる弁基部９１と、隔壁部８２ｂにおける前側を向く前壁面８２ｇに配設された弁本体９２と、ノズル周方向に間隔をあけて複数配置され、弁基部９１と弁本体９２とを連結する弾性連結片９３と、を備えている。
【００４５】
弁基部９１は筒状に形成され、ノズル軸Ｌと同軸に配設されている。弁基部９１は、隔壁部８２ｂより前側に配設されている。弁基部９１の外周面のうち、後側に位置する部分には、外径が縮径されることで肉厚が薄くされた縮径部９１ａが形成されている。縮径部９１ａの内周面に、弾性連結片９３が連結されている。なお、縮径部９１ａは形成されていなくてもよい。
【００４６】
弁本体９２はノズル軸Ｌと同軸に配置されている。弁本体９２の外周面９２ａは、後側に向かうに従い漸次、縮径するとともに、前壁面８２ｇにおける連通口８２ｃの開口周縁部と当接している。図示の例では、弁本体９２は円錐形状をなし、弁本体９２の後端部は、隔壁部８２ｂよりも後側に突き出している。弁本体９２の後端部は、後方に向けて尖る先鋭形状に形成されている。なお、弁本体９２の後端部を、後方を向く平坦面に形成し、弁本体９２を、ノズル軸方向に沿う縦断面視で台形状を呈するように形成してもよい。
また、弁本体９２における前側を向く前面に、肉抜き凹部９２ｂが形成されている。肉抜き凹部９２ｂは円錐形状をなし、ノズル軸方向と同軸に配置されている。このため、弁本体９２の周壁の厚みは、全域にわたって同等となっている。
【００４７】
弁本体９２の前側の外周縁部には、ノズル径方向の外側に向けて突出するフランジ部９２ｃが形成されている。フランジ部９２ｃの厚みは、弁本体９２の周壁の厚みと同等となっている。
フランジ部９２ｃのノズル径方向の外端部は、弾性連結片９３と接続されている。フランジ部９２ｃの前側を向く前面と、弾性連結片９３の前側を向く前面と、が面一となっている。また、フランジ部９２ｃは、隔壁部８２ｂの前壁面８２ｇから前側に離れている。フランジ部９２ｃと前壁面８２ｇとが、ノズル軸方向に互いに対向している。
【００４８】
弾性連結片９３は、弁基部９１と弁本体９２とをノズル径方向に連結している。弾性連結片９３は、弁本体９２を連通口８２ｃから前側に向けて離反自在に支持している。弾性連結片９３は、隔壁部８２ｂの前壁面８２ｇから前側に離れている。弾性連結片９３と前壁面８２ｇとが、ノズル軸方向に互いに対向している。弾性連結片９３の厚みは、弁本体９２のフランジ部９２ｃの厚みよりも薄くなっている。図示の例では、弾性連結片９３は、周方向に間隔をあけて３つ配置されている。
【００４９】
また、本実施形態では、弁基部９１は、根元筒部８２内に嵌合されるとともに、ノズル筒部８１及び隔壁部８２ｂによりノズル軸方向に挟まれている。弁基部９１のノズル軸方向の両端縁はそれぞれ、ノズル筒部８１及び隔壁部８２ｂと当接している。弁基部９１の内周面は、ノズル筒部８１の内周面よりもノズル径方向の内側に位置し、弁基部９１とノズル筒部８１との当接部分には、径方向の段差が形成されている。
【００５０】
＜定量吐出器の作用＞
まず、定量吐出器１の液室３２内に内容物を貯留する貯留作業について説明する。
はじめに、液室３２内に内容物が貯留していない状態で、ピストン操作部５における押下ヘッド５１の天壁部５１ａの上面を押圧し、コイルスプリング５２の付勢力に抵抗しながら押下ヘッド５１を押し下げる。
これにより、コイルスプリング５２が軸方向に圧縮されるとともに、連結部材５３を介して押下ヘッド５１に連結されたピストン部４が、押下ヘッド５１とともにシリンダ部３に対して相対的に下降してシリンダ部３の底壁部３１側に押し込まれ、液室３２内の空気が加圧される。
【００５１】
次に、液室３２内の空気が加圧されたことにより、その内圧によって弾性連結片９３が弾性変形し、弁本体９２が前側に向けて変位する。これにより、弁本体９２の外周面９２ａが、隔壁部８２ｂの前壁面８２ｇにおける連通口８２ｃの開口周縁部から前側に向けて離反し、弁本体９２の外周面９２ａと、連通口８２ｃの開口周縁部との間に隙間が形成されて吐出弁９が開放される。
これにより、液室３２内に充満していた空気が、根元筒部８２の後端部の内側に流入し、連通口８２ｃを通って根元筒部８２の前側に向かって流通する。さらに、前記空気は、ノズル筒部８１内の本体筒部８１ｂから延出筒部８１ｄ内に流入し、屈曲筒部８１ｅ内を通って吐出口８ａから外部に排出される。
【００５２】
そして、上記した押下ヘッド５１の押し下げ操作を止めてピストン部４の押込み動作（下降）を停止させると、弾性連結片９３が復元変形し、弁本体９２が内側に向けて復元変位する。これにより、弁本体９２の外周面９２ａが、前壁面８２ｇにおける連通口８２ｃの開口周縁部と当接して吐出弁９が閉じられ、その結果、ノズル部８からの液室３２内の空気の排出が停止される。
【００５３】
次に、押下ヘッド５１への押圧力を解除すると、コイルスプリング５２の付勢力によって押下ヘッド５１が押し上げられ、連結部材５３を介して押下ヘッド５１に連結されたピストン部４が、押下ヘッド５１とともにシリンダ部３に対して相対的に上昇してシリンダ部３の上端側に引き戻され、液室３２の容積が増大される。その結果、液室３２の内圧が負圧となる。
【００５４】
また、前述したように液室３２の内圧が負圧となると、その内圧によって吸込み弁７の弁体部７１が引っ張られ、吸込み弁７の連結片７２を弾性変形させながら弁体部７１が引き上げられ、弁体部７１が弁座部６４から離間して吸込み弁７が開かれる。
これにより、容器本体１０内の内容物がディップチューブ６１内に流入してディップチューブ６１内を上方に向かって流通し、弁座部６４の内側を通って吸込み弁７の周壁部７０の内側に流入する。そして、その内容物は、周壁部７０と弁体部７１との間の隙間を通って流通し、接続筒部６０の上筒部６２の内側を通過して液室３２内に吸い込まれる。
【００５５】
そして、連結部材５３のフランジ部５３ｂの上面が中蓋５０の底壁部５０ｄの下面のストッパ５０ｆに当接することで、押下ヘッド５１の上昇が停止してピストン部４の引戻し動作が停止する。これにより、吸込み弁７の連結片７２の弾性によって弁体部７１が引き下げられ、弁体部７１が弁座部６４に着座して密に当接して吸込み弁７が閉じられ、その結果、液室３２内への内容物の吸い込みが停止される。
以上の貯留作業を複数回にわたって繰り返すことで、液室３２内に内容物を貯留させることができる。
【００５６】
次に、定量吐出器１の液室３２内から内容物を吐出する吐出作業について説明する。
前述の通り液室３２に内容物が貯留された状態で、前述の動作と同様に天壁部５１ａの上面を押圧し、押下ヘッド５１を押し下げる。
これにより、前述した液室３２内の空気の排出と同様に、内容物が吐出弁９を開放させながら、隔壁部８２ｂの連通口８２ｃを通して根元筒部８２の前側に向かって流通する。さらに、前記内容物は、ノズル筒部８１内の本体筒部８１ｂから延出筒部８１ｄ内に流入し、屈曲筒部８１ｅ内を通って吐出口８ａから外部に吐出される。
またその後に、押下ヘッド５１への押圧力を解除すると、前述の作用と同様に、液室３２内に内容物が貯留される。
以上の吐出作業を複数回にわたって繰り返し、所望量に合わせて内容物を定量ずつ吐出させることができる。
【００５７】
以上説明したように、本実施形態に係る定量吐出器１によれば、弁本体９２の外周面９２ａが、ノズル軸方向における後側に向かうに従い漸次、縮径し、かつ隔壁部８２ｂの前壁面８２ｇにおける連通口８２ｃの開口周縁部に当接しているので、ピストン部４の押込み動作に伴い、液室３２内の内容物がノズル部８内に流入すると、弾性連結片９３が弾性変形することで、弁本体９２の全体がノズル軸方向の前側に向けて弾性変位することとなる。したがって、例えば液室３２内に内容物が貯留されていない使用開始時、及び液室３２内の内容物の残量が少なくなった時等に、液室３２内の空気がノズル部８内に流入すると、弁本体９２の全体が前側に向けて変位することとなり、弁本体９２の外周面９２ａにおける一部分のみで、連通口８２ｃが開放されることが抑えられる。これにより、ノズル部８内の空気が吐出弁９を前側に通過する時に異音が生ずるのを抑制することができる。
また、弁本体９２が、ノズル周方向に間隔をあけて複数配置された弾性連結片９３により、弁基部９１と連結されているので、弁本体９２が隔壁部８２ｂから離反された際の弁本体９２の姿勢を安定させ、吐出弁９の動作を安定したものとすることができる。
【００５８】
また、弁基部９１が、ノズル部８の根元筒部８２内に嵌合されるとともに、根元筒部８２内に嵌合されたノズル筒部８１と、根元筒部８２の内側に配設された隔壁部８２ｂと、によりノズル軸方向に挟まれているので、吐出弁９がノズル部８内をノズル軸方向に位置ずれするのを抑制することができる。
【００５９】
また、弁本体９２の前面に、肉抜き凹部９２ｂが形成されているので、弁本体９２を軽量化することができる。このため、弁本体９２が隔壁部８２ｂの連通口８２ｃに対して位置ずれするのを抑えることが可能になり、吐出弁９により連通口８２ｃを確実に閉塞することができる。さらに、弁本体９２の前面に、肉抜き凹部９２ｂが形成されていることから、弁本体９２の肉厚が厚くなるのを抑えることが可能になり、ひけの発生を抑制することができる。
【００６０】
なお、本発明の技術範囲は、上記実施形態に限定されるものではなく、本発明の趣旨を逸脱しない範囲において、種々の変更を加えることが可能である。
【００６１】
例えば、上記実施形態においては、弁基部９１が、ノズル部８の根元筒部８２内に嵌合されるとともに、根元筒部８２内に嵌合されたノズル筒部８１と、根元筒部８２の内側に配設された隔壁部８２ｂと、によりノズル軸方向に挟まれている構成を示したが、このような態様に限られない。弁基部は筒状をなしていなくてもよいし、根元筒部内に嵌合されることなくノズル筒部内に配設されていてもよい。また、弁基部は、ノズル筒部と隔壁部とにより挟まれていなくてもよい。
【００６２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６３】
１  定量吐出器
３  シリンダ部
４  ピストン部
５  ピストン操作部
６  吸込み部
７  吸込み弁
８  ノズル部
８ａ  吐出口
９  吐出弁
３２  液室
８１  ノズル筒部
８２  根元筒部
８２ｂ  隔壁部
８２ｃ  連通口
８２ｇ  前壁面
９１  弁基部
９２  弁本体
９２ａ  外周面
９２ｂ  肉抜き凹部
９３  弾性連結片
Ｌ  ノズル軸
【図１】
2018002230.tif 000003
【図２】
2018002230.tif 000004